(57)【要約】【課題】小太刀を一緒に収容出来ない。【解決手段】防水性を有するシート材を適宜裁断、縫製して形成されたケース本体１の中央にして、上部の背面部位３側より前部の下部に至る様にファスナー11を形成し、ケース本体１の両側部位４、4aの内側に、太刀Ｌ、Ｌａの鍔Ｂ、Ｂａより下方部位を収容可能な深いポケット５、5aを形成すると共に、該ポケット５、5aにおけるポケット布６、6aの上部裏側に太刀Ｌ、Ｌａの差込部７、7aを形成し、両側部位４、4aの内側にしてポケット５、5aより上方に柄カバー８、8aを設け、該柄カバー８、8aの中間部に太刀Ｌ、Ｌａの鍔Ｂ、Ｂａの収容ポケット９、9aを形成し、両側部位４、4a間の下方部位に小太刀Ｓの収容部12を設けて、太刀Ｌ、Ｌａを収容したポケット５、5a間に形成される空間に小太刀Ｓを収容可能になった。【選択図】図５
2005143566.tif 000002
【特許請求の範囲】
【請求項１】
防水性を有するシート材を適宜裁断、縫製して形成されたケース本体の中央にして、上
部の背面部位側より前部の下部に至る様にファスナーを形成し、ケース本体の両側部位の
内側に、太刀の鍔より下方部位を収容可能な深いポケットを形成すると共に、該ポケット
におけるポケット布の上部裏側に太刀の差込部を形成し、両側部位の内側にしてポケット
より上方に柄カバーを設け、両側部位間の下方部位に小太刀の収容部を設けたことを特徴
とする居合刀用ケース。
【請求項２】
収容部は、一側部を一方のポケット布に縫着すると共に、他側部を他方のポケット布に
対し接離自在と成した軟質なカバーにより形成したことを特徴とする請求項１記載の居合
刀用ケース。
【発明の詳細な説明】
【技術分野】
【０００１】
本発明は、居合に使用する太刀２本と小太刀１本を収容可能にした居合刀用ケースに関
する。
【背景技術】
【０００２】
従来、かかるケースにあっては、ケースの両側部内側に設けたポケットに太刀を差し込
む様にした２本用のケースは見受けられる。
【０００３】
研究開発段階や出願段階で先行技術調査を行っておらず、記載すべき先行技術文献を知
りません。
【発明の開示】
【発明が解決しようとする課題】
【０００４】
しかし、上記ケースにあっては、太刀２本しか収容することが出来ず、試験、試合等で
使用することのある小太刀を一緒に収容出来ない欠点を有していた。
【課題を解決するための手段】
【０００５】
本発明は、上記従来技術に基づく、小太刀を一緒に収容出来ない課題に鑑み、防水性を
有するシート材を適宜裁断、縫製して形成されたケース本体の中央にして、上部の背面部
位側より前部の下部に至る様にファスナーを形成し、ケース本体の両側部位の内側に、太
刀の鍔より下方部位を収容可能な深いポケットを形成すると共に、該ポケットにおけるポ
ケット布の上部裏側に太刀の差込部を形成し、両側部位の内側にしてポケットより上方に
柄カバーを設け、該柄カバーの中間部に太刀の鍔の収容ポケットを形成し、両側部位間の
下方部位に小太刀の収容部を設けたことによって、太刀を収容したポケット間に形成され
る空間に小太刀を収容可能にして、上記課題を解決する。
【発明の効果】
【０００６】
要するに本発明は、防水性を有するシート材を適宜裁断、縫製してケース本体を形成し
たので、収容した太刀及び小太刀に水分が付着せず、くもり、錆等の発生を防止すること
が出来、又ケース本体の中央にして、上部の背面部位側より前部の下部に至る様にファス
ナーを形成したので、かかるケース本体を大きく開くことが出来るため、長い太刀をポケ
ットに簡単に差し込むことが出来ると共に、ポケット間の収容部内に小太刀を簡単に収容
することが出来る。  ケース本体の両側部位の内側に、太刀の鍔より下方部位を収容可能
な深いポケットを形成すると共に、該ポケットにおけるポケット布の上部裏側に太刀の差
込部を形成したので、太刀を差込部内を通してポケット内に差し込めば、該ポケット内に
おける太刀の位置決めが出来るため、持ち運び時に大きく動かず、収容された太刀及び小
太刀が強く衝突し合うことがないために傷つき難くなる様に収容することが出来る。
両側部位の内側にしてポケットより上方に柄カバーを設けたので、該柄カバー及びポケ
ット布により太刀全体を完全に覆うことが出来る。
両側部位間の下方部位に小太刀の収容部を設けたので、太刀を収容したポケット間に形
成されるある程度大きい空間に小太刀の収容部を形成することが出来るため、小太刀も一
緒にケース本体内に収容することが出来る。
【０００７】
又、収容部は、一側部を、一方のポケット布に縫着すると共に、他側部を他方のポケッ
ト布に対し接離自在と成した軟質なカバーにより形成したので、カバーを開閉することで
、収容部内に対し小太刀を出し入れすることが出来るため、かかる収容作業の簡易化を図
ることが出来る等その実用的効果甚だ大である。
【発明を実施するための最良の形態】
【０００８】
以下、本発明の実施の形態を図面に基づき説明する。
本発明に係る居合刀用ケースは、防水性を有するシート材を適宜裁断、縫製して形成さ
れたケース本体１の下部に、ゴム等の弾性を有する素材で形成された底部２を設け、ケー
ス本体１の背面部位３の両側方に位置する部位４、4aの内側に、太刀Ｌ、Ｌａの鍔Ｂ、Ｂ
ａより下方部位を収容可能な深いポケット５、5aを形成し、該ポケット５、5aは、両側部
位４、4aの内側にポケット布６、6aを重ね外周部を縫着して形成している。又、ポケット
５、5a内にしてポケット布６、6aの上部裏側に太刀Ｌ、Ｌａの差込部７、7aを形成し、該
差込部７、7aはゴムバンドの両端部をポケット布６、6aに縫着して形成している。
両側部位４、4aの内側にしてポケット５、5aより上方に柄カバー８、8aを設け、該柄カ
バー８、8aの下辺部分をポケット５、5aの上方部分に重ねると共に、内辺部分及び上辺部
分を両側部位４、4aに縫着し、外辺部分及び下辺部分を両側部位４、4a内側面の外側部及
びポケット布６、6aの上面部に対し接離自在としている。又、柄カバー８、8aの中間部に
太刀Ｌ、Ｌａの鍔Ｂ、Ｂａの収容ポケット９、9aを形成している。
尚、１枚の布材の中央部位を背面部位３の内側に縫着したその両側部位を柄カバー８、
8aとする様にしている。
ケース本体１の外側面の上方寄りにして柄カバー８、8aの収容ポケット９、9aと同一に
補強帯10を周設すると共に、両側部位４、4aの外側部分における補強帯10の配置部位を若
干膨らませている。
ケース本体１の中央にして、上部の背面部位３側より前部の下部に至る様にファスナー
11を形成してケース本体１を開閉自在とし、ファスナー11は、防水機能を具備したものを
使用するのが望ましい。
両側部位４、4a間の下方部位に小太刀Ｓの収容部12を設け、該収容部12は中間部上方寄
り部分が幅広く、上下方へ序々に幅が狭くなる様に形成すると共に、幅広部位に小太刀Ｓ
の鍔Ｃの収容ポケット13を形成した軟質なカバー14の一側部を、一方のポケット布６に縫
着すると共に、他側部を他方のポケット布6aに対し接離自在と成している。
又、ケース本体１の背面部位３に肩掛けベルト15を設けると共に、中間部に把手部16を
、ファスナー11が上向きになる様に設けている。
【０００９】
次に、本発明に係る居合刀用ケースの作用について説明する。
先ず、太刀Ｌ、Ｌａを差込部７、7a内を通してポケット５、5a内に差し込み、次に柄カ
バー８、8aを太刀Ｌ、Ｌａの柄Ｇ、Ｇａに被せる共に、太刀Ｌ、Ｌａの鍔Ｂ、Ｂａを収容
ポケット９、9a内に収容した後、柄カバー８、8aの外辺部分及び下辺部分を両側部位４、
4aの内側面及びポケット布６、6aの上面部に固定して、太刀Ｌ、Ｌａを収容する。
次に、小太刀Ｓを峰が下方になる様に両側部位４、4a間の下方部位に載置した後、小太
刀Ｓにカバー14を、鍔Ｃが収容ポケット13内に収容する様に被せると共に、他側部を他方
のポケット布6aに固定して、収容部12内に小太刀Ｓを収容する。
そして、ファスナー11を閉めると、図５に示す様に、太刀Ｌ、Ｌａの間に小太刀Ｓが位
置するが、太刀Ｌ、Ｌａの間の空間はある程度広いため、小太刀Ｓの鍔Ｃが邪魔に成らず
に収容される。又、ケース本体１における太刀Ｌ、Ｌａの鍔Ｂ、Ｂａの収容部位は横に拡
がるが、当該部位における両側部位４、4aの外側部分が膨らんでいるため、横に拡がるこ
とで下方に引っ張られても、図４に示す様に大きく凹まない。
又、小太刀Ｓの鍔Ｃと太刀Ｌ、Ｌａの間にはポケット布６、6a及びカバー14があり、小
太刀Ｓの鍔Ｃと太刀Ｌ、Ｌａが直接当たらないため、太刀Ｌ、Ｌａの鞘が傷つかず、而も
太刀Ｌ、Ｌａの鍔Ｂ、Ｂａがケース本体１に当たるが、補強帯10があるため破れない。
尚、太刀Ｌ、Ｌａはポケット５、5a内で差込部７、7aにより位置決めされ、小太刀Ｓは
収容部12内に収容状態であると共に、太刀Ｌ、Ｌａを収容したポケット５、5a間に挟まれ
る様な恰好になるため、持ち運び時に小太刀Ｓ及び太刀Ｌ、Ｌａが内部で大きく動かない
。
又、把手部16を持って持ち運ぶ際にファスナー11が上向きになるが、防水機能があり、
ケース本体１自体にも防水性があるため、ケース本体１内に水、湿気が入り込まず、太刀
Ｌ、Ｌａ及び小太刀Ｓにくもり、錆等が生じない。
【図面の簡単な説明】
【００１０】
【図１】本発明に係る居合刀用ケースのファスナーを開けた状態の正面図である。
【図２】居合刀用ケースの側面図である。
【図３】ファスナーを開けた居合刀用ケースに２本の太刀と１本の小太刀を収容した状態の正面図である。
【図４】２本の太刀と１本の小太刀を収容した居合刀用ケースの側面図である。
【図５】図４の断面図である。
【符号の説明】
【００１１】
１        ケース本体
３        背面部位
４、4a    両側部位
５、5a    ポケット
６、6a    ポケット布
７、7a    差込部
８、8a    柄カバー
９、9a    収容ポケット
11        ファスナー
12        収容部
14        カバー
Ｂ、Ｂａ  鍔
Ｌ、Ｌａ  太刀
Ｓ        小太刀
【図１】
2005143566.tif 000003
【図２】
2005143566.tif 000004
【図３】
2005143566.tif 000005
【図４】
2005143566.tif 000006
【図５】
2005143566.tif 000007